(57)【要約】  【課題】  画像データ以外の情報、すなわち画像データに関するテキストデータをアーカイブして、画像データを復元する場合に、画像データに関するテキストデータを復元させることができる画像通信装置を提供する。  【解決手段】  制御部10は、電子メールを送受信した場合、送受信した電子メールの添付ファイル（画像データ）を抽出し、抽出した画像データを画像メモリ15に記憶する。また、コーデック14は、制御部10と協業して、送受信した電子メールのヘッダ情報及び本文情報のテキストデータを抽出し、画像データに変換する。また、ファクシミリを送受信した場合、コーデック14は、制御部10と協業して、送受信したファクシミリの送受信結果のような送受信に係る通信管理情報であるテキストデータを抽出し、画像データに変換する。そして、コーデック14によって変換された画像データと、画像メモリ15に記憶されている画像データとをアーカイブ先へ送信する。【選択図】        図２
2006203693.tif 000002
【特許請求の範囲】
【請求項１】
送信又は受信した画像データを転送する画像通信装置において、
前記画像データを記憶する記憶部と、
前記画像データに関するテキストデータを画像データに変換する変換手段と、
前記記憶部に記憶されている画像データ及び前記変換手段にて変換した画像データを送信する送信手段と
を備えることを特徴とする画像通信装置。
【請求項２】
送信又は受信した画像データを転送する画像通信装置において、
前記画像データを記憶する記憶部と、
該記憶部に記憶した画像データ及び該画像データに関するテキストデータを前記画像データと異なる形式の画像データに変換する変換手段と、
該変換手段にて変換した画像データを送信する送信手段と
を備えることを特徴とする画像通信装置。
【請求項３】
前記送信手段は、Ｇ３ＦＡＸ、ＦＴＰ、ＨＴＴＰ又はＳＭＢに準拠した通信を行うようにしてあること
を特徴とする請求項１又は請求項２に記載の画像通信装置。
【請求項４】
前記テキストデータは、前記画像データの送受信に係る通信管理情報を含むこと
を特徴とする請求項１乃至請求項３のいずれかに記載の画像通信装置。
【発明の詳細な説明】
【技術分野】
【０００１】
本発明は、画像通信装置に関し、より具体的には、送信又は受信した画像データを、公衆電話回線網などの電話網、又はインターネット、ローカルエリアネットワーク（ＬＡＮ）などの通信網を介して、所定の宛先へ送信することにより画像データのアーカイブを行う画像通信装置に関する。
【背景技術】
【０００２】
近年、独自に構築されてきた種々のネットワークを相互に接続した大規模ネットワーク（以下、インターネット）が種々の分野で利用されている。インターネットは、電話網などと異なり、インターネットに接続するまでの費用を負担すれば、日本国内だけでなく外国のコンピュータなどと通信することができる。そこで、画像データを添付した電子メールをインターネットを介して配信することで、通信費用の削減を図った画像通信装置が実用化されている。
【０００３】
また、送受信した画像データを電子メールによって所定の宛先へ転送することにより、画像データのアーカイブを行うインターネットファクシミリ装置が提案されている（例えば、特許文献１参照。）。特許文献１には、転送される電子メールのサブジェクトに画像データに関する情報が記載されるので、この情報に基づいて画像データを容易に管理することができる。
【特許文献１】特開２００４−４０６００号公報
【発明の開示】
【発明が解決しようとする課題】
【０００４】
しかしながら、アーカイブ先が電子メールの受信が可能である必要があり、Ｇ３ＦＡＸをアーカイブ先とした場合、画像データしかアーカイブできないことから、画像データに関する情報、例えば、画像データが電子メールに添付されている場合、電子メールの件名、送信元、送信先、送信日時、受信日時のようなヘッダ情報、また、画像データをファクシミリ受信した場合、ファクシミリを送信してきた相手先の電話番号、通信日時のような通信管理情報は、画像データでないことからアーカイブできない。したがって、画像データをアーカイブしたにもかかわらず、アーカイブを取り出した場合に、画像データ以外の情報、すなわち上述した画像データに関する情報が欠落してしまい、控えを目的としたアーカイブとしての意味が薄れるという問題があった。つまり、画像データのみのアーカイブでは、アーカイブされている画像データを取り出した場合、画像データがどのような性質のものであるかを判別することができない虞があった。
【０００５】
本発明は斯かる事情に鑑みてなされたものであり、送信又は受信した画像データに関するテキストデータを画像データに変換し、変換したテキストデータに係る画像データを、送信又は受信した画像データとともに所定の宛先へ送信する構成とすることにより、画像データ以外の情報、すなわち画像データに関するテキストデータをアーカイブして、画像データを復元する場合に、画像データに関するテキストデータを復元させることができる画像通信装置の提供を目的とする。
【０００６】
また本発明は、送信又は受信した画像データ及びその画像データに関するテキストデータをアーカイブ先に応じた所定形式の画像データに変換し、変換した画像データを所定の宛先へ送信する構成とすることにより、画像データ以外の情報、すなわち画像データに関するテキストデータをアーカイブして、画像データを復元する場合に、画像データに関するテキストデータを復元させることができる画像通信装置の提供を目的とする。
【課題を解決するための手段】
【０００７】
第１発明に係る画像通信装置は、送信又は受信した画像データを転送する画像通信装置において、前記画像データを記憶する記憶部と、前記画像データに関するテキストデータを画像データに変換する変換手段と、前記記憶部に記憶されている画像データ及び前記変換手段にて変換した画像データを送信する送信手段とを備えることを特徴とする。
【０００８】
第１発明にあっては、送信又は受信した画像データを記憶するとともに、画像データに関するテキストデータを画像データに変換する。そして、記憶されている画像データと、テキストデータを変換した画像データとを所定の宛先へ送信する。これにより、所定の宛先には、送信又は受信した画像データのみならず、電子メールの場合には、その件名、送信元、送信先、送信日時、受信日時のようなヘッダ情報、また、ファクシミリの場合には、相手先の電話番号、通信日時のような通信管理情報などの画像データに係る情報を復元することができるので、利用者は確実に画像データの内容を確認することができ、時間を経過した後に出力するようにした場合であっても、その内容を把握することができる。テキストデータを画像データに変換して送信することから、アーカイブ先が電子メールの受信が可能である必要はなく、Ｇ３ＦＡＸをアーカイブ先とした場合であってもよく、様々な用途に適用可能である。
【０００９】
第２発明に係る画像通信装置は、送信又は受信した画像データを転送する画像通信装置において、前記画像データを記憶する記憶部と、該記憶部に記憶した画像データ及び該画像データに関するテキストデータを前記画像データと異なる形式の画像データに変換する変換手段と、該変換手段にて変換した画像データを送信する送信手段とを備えることを特徴とする。
【００１０】
第２発明にあっては、送信又は受信した画像データを記憶するとともに、画像データと該画像データに関するテキストデータとをアーカイブ先に応じた所定形式の画像データに変換する。そして、変換した画像データを所定の宛先へ送信する。これにより、所定の宛先には、送信又は受信した画像データのみならず、ヘッダ情報、通信管理情報などの画像データに係る情報を復元することができるので、利用者は確実に画像データの内容を確認することができ、時間を経過した後に出力するようにした場合であっても、その内容を把握することができる。アーカイブ先に応じて、送信又は受信した画像データの形式を変更することができるので、さらに様々な用途に適用可能である。
【００１１】
第３発明に係る画像通信装置は、上述した各発明において、前記送信手段は、Ｇ３ＦＡＸ、ＦＴＰ、ＨＴＴＰ又はＳＭＢに準拠した通信を行うようにしてあることを特徴とする。
【００１２】
第３発明にあっては、送信先との通信規格に応じて、例えば、Ｇ３ＦＡＸ、ＦＴＰ、ＨＴＴＰ又はＳＭＢに準拠した通信規格に応じて、変換した画像データを送信する。
【００１３】
第４発明に係る画像通信装置は、上述した各発明において、前記テキストデータは、前記画像データの送受信に係る通信管理情報を含むことを特徴とする。
【００１４】
第４発明にあっては、画像データへの変換対象であるテキストデータが通信管理情報を含むことにより、通信管理情報に基づいて、アーカイブされた画像データを容易に管理することができる。
【発明の効果】
【００１５】
本発明によれば、送信又は受信した画像データに関するテキストデータを画像データに変換し、変換したテキストデータに係る画像データを、送信又は受信した画像データとともに所定の宛先へ送信する構成としたので、画像データ以外の情報、すなわち画像データに関するテキストデータをアーカイブして、画像データを復元する場合に、画像データに関するテキストデータを復元させて利用者に画像データの内容を識別させることができる。テキストデータを画像データに変換して送信することから、アーカイブ先が電子メールの受信が可能である必要はなく、Ｇ３ＦＡＸをアーカイブ先とした場合であってもよく、様々な用途に適用可能である。
【００１６】
本発明によれば、送信又は受信した画像データ及びその画像データに関するテキストデータをアーカイブ先に応じた所定形式の画像データに変換し、変換した画像データを所定の宛先へ送信する構成としたので、アーカイブ先に応じて、送信又は受信した画像データの形式をも変更することができ、さらに様々な用途に適用可能である。
【００１７】
本発明によれば、Ｇ３ＦＡＸ、ＦＴＰ、ＨＴＴＰ又はＳＭＢのような通信規格に応じて、変換した画像データを送信することにより、様々な通信規格での送信に適用可能である。
【００１８】
本発明によれば、画像データへの変換対象であるテキストデータが通信管理情報を含むことにより、通信管理情報に基づいて、アーカイブされた画像データを容易に管理することができるなど、優れた効果を奏する。
【発明を実施するための最良の形態】
【００１９】
以下、本発明をその実施の形態を示す図面に基づいて詳述する。
【００２０】
図１は本発明に係る画像通信装置の一例であるインターネットファクシミリ装置が接続された態様の通信ネットワーク構成を示す模式図である。１Ａ，１Ｂ，１Ｃは、本発明に係る画像通信装置の一例であるインターネットファクシミリ装置（以下、ＩＮＦＡＸ）である。
【００２１】
ＬＡＮ２Ａには、ＩＮＦＡＸ１Ａ，１Ｂ、ファイルサーバ３、パーソナルコンピュータ（以下、ＰＣ）４Ａ、メールサーバ５Ａ、ルータ６Ａなどが接続されており、ＩＮＦＡＸ１Ａ，１Ｂ、ＰＣ４Ａは、メールサーバ５Ａを介して相互に電子メールによる通信（送信、受信）が可能なように構成されている。また、ＩＮＦＡＸ１Ａ，１Ｂは、ＬＡＮ２Ａを通じてファイルサーバ３にデータを転送（送信、受信）できるように構成されている。さらに、ＬＡＮ２Ａはルータ６Ａを介してインターネットＩＮに接続されており、ＩＮＦＡＸ１Ａ，１Ｂ、ファイルサーバ３、ＰＣ４Ａは、インターネットＩＮに接続された後述の各種機器との通信が可能である。
【００２２】
インターネットＩＮには、ＬＡＮ２Ａと同様に、ルータ６Ｂを介してＬＡＮ２Ｂが接続されている。ＬＡＮ２Ｂには、ＩＮＦＡＸ１Ｃ、ＰＣ４Ｂ、メールサーバ５Ｂ、ルータ６Ｂなどが接続されており、ＩＮＦＡＸ１Ｃ、ＰＣ４Ｂは、メールサーバ５Ｂを介して相互に電子メールによる通信が可能なように構成されている。また、ＩＮＦＡＸ１Ｃは、インターネットＩＮを通じてファイルサーバ３にデータを転送（送信、受信）できるように構成されている。
【００２３】
さらに、ＩＮＦＡＸ１Ａ，１Ｂ，１Ｃ（以下、区別が不要な場合にはＩＮＦＡＸ１とすることもある）は、公衆電話回線網ＰＳＴＮを通じて相互に接続されており、公衆電話回線網ＰＳＴＮを用いた従来のファクシミリ装置としても利用可能であり、図１においては、従来のファクシミリ装置であるＧ３ＦＡＸ７が公衆電話回線網ＰＳＴＮにさらに接続されている態様を示している。
【００２４】
図２は本発明に係る画像通信装置の一例であるインターネットファクシミリ装置の構成を示すブロック図である。本発明に係る画像通信装置であるＩＮＦＡＸ１は、ＣＰＵで構成された制御部１０を備えている。制御部１０はＲＯＭ１１、ＲＡＭ１２、読取部１３、コーデック１４、画像メモリ１５、記録部１６、操作部１７、表示部１８、ＬＡＮインターフェイス（以下、ＬＡＮＩＦ）１９、モデム２０、回線制御部（以下、ＮＣＵ）２１と接続され、これら各部を制御し、ＲＯＭ１１に予め格納されているコンピュータプログラムに従って種々の機能を実行し、各部と連携して又は単独で本発明における各種の手段として機能する。ＲＡＭ１２は、制御部１０によるコンピュータプログラムの実行時に発生する一時的なデータを記憶するもので、例えばＤＲＡＭ、フラッシュメモリなどにより構成される。
【００２５】
読取部１３はＣＣＤなどを利用したスキャナであり、原稿台にセットされた原稿を読み取ってデータ化を行う。原稿読み取り時のスキャナ方式としてはＡＤＦ（Automatic Document Feeder）方式，ＦＢＳ（Flat Bed Scanner）方式があるがいずれでもよい。コーデック１４は、読取部１３にて読み取ったデータを所定形式の画像データに変換（符号化）し、画像メモリ１５に記憶する。コーデック１４の符号化方式として、例えば、１次元符号化方式であるＭＨ（Modified Huffman），２次元符号化方式であるＭＲ（Modified READ），又はＭＲを一部改良したＭＭＲ（Modified Modified READ）などの符号化方式がファクシミリ通信の規格により定められている。
【００２６】
記録部１６は、電子写真方式のようなプリンタ装置であり、他のファクシミリ装置からファクシミリ通信により受信した画像データ、及び通信ネットワークにより受信した画像データをハードコピーとしてプリントアウトして記録する。
【００２７】
操作部１７は、ＩＮＦＡＸ１を操作するために必要な文字キー、テンキー、短縮ダイヤルキー、ワンタッチダイヤルキー、各種のファンクションキーなどを備え、利用者による各種操作及び設定は、この操作部１７から行われる。表示部１８は、液晶表示装置（ＬＣＤ）のような表示装置であり、ＩＮＦＡＸ１の動作状態を表示し、さらには、送信する原稿の画像データ、受信した画像データなどの表示を行う。なお、表示部１８をタッチパネル方式とすることにより、操作部１７の各種キーの内の一部又は全部を代用することも可能である。
【００２８】
ＬＡＮＩＦ１９は、ＩＮＦＡＸ１（例えば１Ａ）がＬＡＮ（２Ａ）を介して他のＩＮＦＡＸ１（１Ｂ）、ファイルサーバ（３）、ＰＣ（４Ａ）、メールサーバ（５Ａ）と通信を行うためのインターフェイスであり、制御部１０と協業して、電子メールの送受信処理を行ったり、ファイルサーバ３との間で画像データを送受信する際の通信手段として動作する。またルータ（６Ａ）を介してインターネットＩＮとも接続され、他のＩＮＦＡＸ１（１Ｃ）、ＰＣ（４Ｂ）、メールサーバ（５Ｂ）と通信を行うこともできる。
【００２９】
モデム２０は、ファクシミリ通信が可能なファクシミリモデムにより構成されている。モデム２０にはＮＣＵ２１が直接的に接続されており、ＮＣＵ２１は、公衆電話回線網ＰＳＴＮに対する接続又は切断を行い、必要に応じてモデム２０を公衆電話回線網ＰＳＴＮに接続し、ＩＮＦＡＸ１と外部のファクシミリ装置（例えばＧ３ＦＡＸ７）との間のファクシミリ通信の制御を行う。
【００３０】
本発明において、電子メールを送信又は受信（以下、送受信という）した場合、制御部１０は、送受信した電子メールの添付ファイル（画像データ）を抽出し、抽出した画像データを画像メモリ１５に記憶する。また、コーデック１４は、制御部１０と協業して、図３に示すように、送受信した電子メールのヘッダ情報（例えば、電子メールの件名５１、送信元５２、送信先５３、送信日時５４、受信日時５５など）及び本文情報５６のテキストデータを抽出し、抽出したテキストデータを画像データに変換する。一方、ファクシミリを送受信した場合、コーデック１４は、制御部１０と協業して、図４に示すように、送受信したファクシミリの送受信に係る通信管理情報（例えば、ファクシミリの相手先６１、通信日時６２、通信時間６３、ページ数６４、通信結果６５など）であるテキストデータを抽出し、抽出したテキストデータを画像データに変換する。そして、コーデック１４によって変換された画像データと、画像メモリ１５に記憶されている画像データとをアーカイブ先へ送信する。
【００３１】
次に、本発明に係る画像通信装置が行う動作について説明する。アーカイブ先としては、ファイルサーバ（ＰＣを含む）、インターネットファクシミリなどのような電子メールの受信が可能な電子機器、又はＧ３ＦＡＸのようなファクシミリの受信が可能な電子機器が選択（設定）可能であり、操作部１７にて利用者によるアーカイブ先の設定が適宜行われる。
【００３２】
図５乃至図８は本発明に係る画像通信装置が行う処理手順を示すフローチャートであり、具体的には、図５及び図６は電子メールを送受信した場合のフローチャートを、図７はファクシミリを送信する場合のフローチャートを、図８はファクシミリを受信した場合のフローチャートを、それぞれ示す。
【００３３】
［１．電子メールを送受信した場合（図５及び図６）］
ＩＮＦＡＸ１は、添付ファイル（画像データ）が添付された電子メールを送受信すると（ステップＳ１）、アーカイブの設定がなされているか否かを判定する（ステップＳ２）。ＩＮＦＡＸ１は、アーカイブの設定がなされていないと判定した場合（Ｓ２：ＮＯ）、処理を終了する。一方、ＩＮＦＡＸ１は、アーカイブの設定がなされていると判定した場合（Ｓ２：ＹＥＳ）、送受信した電子メールから添付ファイル（画像データ）を抽出し（ステップＳ３）、抽出した画像データを画像メモリ１５に記憶する（ステップＳ４）。次に、ＩＮＦＡＸ１は、画像データがコーデック１４にてデコード可能であるか否かを判定する（ステップＳ５）。
【００３４】
画像データがデコード不可能であると判定された場合（Ｓ５：ＮＯ）、ＩＮＦＡＸ１は、送受信した電子メールが処理不能メールであると判断し、エラー処理を実行して（ステップＳ６）、処理を終了する。このように、画像データがデコード不可能である場合は、後述するテキストデータを画像データと同形式の画像データに変換することができないことから、エラー処理を実行するようにしておく。
【００３５】
一方、画像データがデコード可能であると判定された場合（Ｓ５：ＹＥＳ）、ＩＮＦＡＸ１は、電子メールのヘッダ情報（電子メールの件名、送信元、送信先、送信日時、受信日時など）及び本文情報のテキストデータを抽出する（ステップＳ７）。そして、ＩＮＦＡＸ１は、アーカイブ先がＧ３ＦＡＸ７であるか否かを判定する（ステップＳ８）。アーカイブ先は、利用者によって予め適宜設定され、アーカイブ先の情報が記憶されている。
【００３６】
アーカイブ先がＧ３ＦＡＸ７であると判定された場合（Ｓ８：ＹＥＳ）、画像メモリ１５に記憶した画像データをＧ３ＦＡＸに準拠した画像データ（Ｇ３ＦＡＸ用画像データ）に変換する（ステップＳ９）。同様に、Ｓ７にて抽出したテキストデータをＧ３ＦＡＸに準拠したＧ３ＦＡＸ用画像データに変換する（ステップＳ１０）。
【００３７】
次に、ＩＮＦＡＸ１は、アーカイブ先のＧ３ＦＡＸ７にダイヤルして通信を確立する（ステップＳ１１）。そして、Ｓ１０にて変換したテキストデータに係るＧ３ＦＡＸ用画像データをアーカイブ先へファクシミリ送信し（ステップＳ１２）、続いて、Ｓ９にて変換した画像データに係るＧ３ＦＡＸ用画像データをアーカイブ先へファクシミリ送信する（ステップＳ１３）。そして、ＩＮＦＡＸ１は、アーカイブ先との通信を切断する（ステップＳ１４）。
【００３８】
一方、Ｓ８において、アーカイブ先がＧ３ＦＡＸ７でないと判定された場合（Ｓ８：ＮＯ）、Ｓ７にて抽出したテキストデータを添付ファイル（画像データ）と同形式の画像データに変換する（ステップＳ１５）。そして、ＩＮＦＡＸ１は、画像メモリ１５に記憶された画像データと、Ｓ１５にて変換したテキストデータに係る画像データとを再構成する（ステップＳ１６）。例えば、Ｓ１５にて変換したテキストデータに係る画像データを１ページ目とし、画像メモリ１５に記憶されている画像データ、すなわち電子メールに添付された画像データを、それに続くページとして画像データを再構成する。そして、ＩＮＦＡＸ１は、再構成した画像データをアーカイブ先へ送信する（ステップＳ１７）。なお、送信に関しては、ＦＴＰ、ＨＴＴＰ又はＳＭＢのような通信規格を適宜設定することが可能である。
【００３９】
［２．ファクシミリを送信する場合（図７）］
利用者により、原稿がＡＤＦ方式又はＦＢＳ方式用の原稿台にセットされると（ステップＳ２１）、読取部１３がセットされた原稿を読み取り、さらにコーデック１４にて所定形式に変換して画像データを生成し（ステップＳ２２）、生成した原稿に係る画像データを画像メモリ１５に記憶する（ステップＳ２３）。そして、ＩＮＦＡＸ１は、原稿に係る画像データを送信先へ送信する（ステップＳ２４）。
【００４０】
次に、ＩＮＦＡＸ１は、アーカイブの設定がなされているか否かを判定し（ステップＳ２５）、アーカイブの設定がなされていないと判定した場合（Ｓ２５：ＮＯ）、処理を終了する。一方、アーカイブの設定がなされていると判定した場合（Ｓ２５：ＹＥＳ）、ＩＮＦＡＸ１は、アーカイブ先がＧ３ＦＡＸ７であるか否かを判定する（ステップＳ２６）。
【００４１】
アーカイブ先がＧ３ＦＡＸ７であると判定された場合（Ｓ２６：ＹＥＳ）、送信したファクシミリの送信結果のような送信に係る通信管理情報であるテキストデータをＧ３ＦＡＸに準拠した画像データ（Ｇ３ＦＡＸ用画像データ）に変換する（ステップＳ２７）。次に、ＩＮＦＡＸ１は、アーカイブ先のＧ３ＦＡＸ７にダイヤルして通信を確立する（ステップＳ２８）。そして、Ｓ２７にて変換したテキストデータに係るＧ３ＦＡＸ用画像データをアーカイブ先へファクシミリ送信し（ステップＳ２９）、続いて、Ｓ２４にて送信先へ送信した画像データに係るＧ３ＦＡＸ用画像データをアーカイブ先へファクシミリ送信する（ステップＳ３０）。そして、ＩＮＦＡＸ１は、アーカイブ先との通信を切断する（ステップＳ３１）。
【００４２】
一方、Ｓ２６において、アーカイブ先がＧ３ＦＡＸ７でないと判定された場合（Ｓ２６：ＮＯ）、送信したファクシミリの送信結果のような送信に係る通信管理情報であるテキストデータを所定形式（ここではＴＩＦＦ形式）の画像データに変換する（ステップＳ３２）。そして、画像メモリ１５に記憶されている画像データ（つまりＳ２４にて送信先へ送信した画像データ）をＴＩＦＦ形式の画像データに変換する（ステップＳ３３）。次に、ＩＮＦＡＸ１は、画像メモリ１５に記憶された画像データをＳ３３にて変換した画像データと、Ｓ３２にて変換したテキストデータに係る画像データとを再構成する（ステップＳ３４）。そして、ＩＮＦＡＸ１は、再構成した画像データをアーカイブ先へ送信する（ステップＳ３５）。
【００４３】
［３．ファクシミリを受信した場合（図８）］
ＩＮＦＡＸ１は、ファクシミリにて画像データを受信すると（ステップＳ４１）、受信した画像データを画像メモリ１５に記憶する（ステップＳ４２）とともに、画像データを記録部１６に出力してプリントアウトする（ステップＳ４３）。次に、ＩＮＦＡＸ１は、アーカイブの設定がなされているか否かを判定し（ステップＳ４４）、アーカイブの設定がなされていないと判定した場合（Ｓ４４：ＮＯ）、処理を終了する。一方、アーカイブの設定がなされていると判定した場合（Ｓ４４：ＹＥＳ）、ＩＮＦＡＸ１は、アーカイブ先がＧ３ＦＡＸ７であるか否かを判定する（ステップＳ４５）。
【００４４】
アーカイブ先がＧ３ＦＡＸ７であると判定された場合（Ｓ４５：ＹＥＳ）、受信したファクシミリの受信結果のような受信に係る通信管理情報であるテキストデータをＧ３ＦＡＸに準拠した画像データ（Ｇ３ＦＡＸ用画像データ）に変換する（ステップＳ４６）。次に、ＩＮＦＡＸ１は、アーカイブ先のＧ３ＦＡＸ７にダイヤルして通信を確立する（ステップＳ４７）。そして、Ｓ４６にて変換したテキストデータに係るＧ３ＦＡＸ用画像データをアーカイブ先へファクシミリ送信し（ステップＳ４８）、続いて、画像メモリ１５に記憶した画像データをアーカイブ先へファクシミリ送信する（ステップＳ４９）。ファクシミリ受信した画像データはＧ３ＦＡＸに準拠した画像データであることから、画像メモリ１５に記憶している画像データを変換する必要はない。そして、ＩＮＦＡＸ１は、アーカイブ先との通信を切断する（ステップＳ５０）。
【００４５】
一方、Ｓ４５において、アーカイブ先がＧ３ＦＡＸ７でないと判定された場合（Ｓ４５：ＮＯ）、受信したファクシミリの受信結果のような受信に係る通信管理情報であるテキストデータを所定形式（ここではＴＩＦＦ形式）の画像データに変換する（ステップＳ５１）。そして、画像メモリ１５に記憶されている画像データ（つまりＳ４１にて受信した画像データ）をＴＩＦＦ形式の画像データに変換する（ステップＳ５２）。次に、ＩＮＦＡＸ１は、画像メモリ１５に記憶された画像データをＳ５２にて変換した画像データと、Ｓ５１にて変換したテキストデータに係る画像データとを再構成する（ステップＳ５３）。そして、ＩＮＦＡＸ１は、再構成した画像データをアーカイブ先へ送信する（ステップＳ５４）。
【００４６】
以上詳述したように、本発明に係る画像通信装置は、画像データが電子メールに添付されている場合には、電子メールのヘッダ情報及び本文情報を、また、画像データをファクシミリにて送受信した場合には、ファクシミリの相手先の電話番号、通信日時のような通信管理情報を、画像データに変換してアーカイブ先へ送信するようにしたので、控えを目的としたアーカイブに好適である。つまり、利用者は、アーカイブされている画像データがどのような性質のものであるかを、アーカイブ先に送信したテキストデータに関する情報から判断することができる。つまり、送受信した画像データのみならず、画像データに関するテキストデータを画像データとして出力することで、利用者は確実に画像データの内容を確認することができ、時間を経過した後に出力するようにした場合であっても、その内容を把握することができる。
【００４７】
また、本発明に係る画像通信装置は、アーカイブ先が電子メールの受信が可能である必要はなく、Ｇ３ＦＡＸをアーカイブ先とした場合であってもよく、様々な用途に適用可能である。実施の形態では、インターネットファクシミリ装置を一例に説明したが、公衆電話回線網ＰＳＴＮを用いた従来のファクシミリ装置に適用して、アーカイブ先を別のファクシミリ装置とするようにしてもよい。
【図面の簡単な説明】
【００４８】
【図１】本発明に係る画像通信装置の一例であるインターネットファクシミリ装置が接続された態様の通信ネットワーク構成を示す模式図である。
【図２】本発明に係る画像通信装置の一例であるインターネットファクシミリ装置の構成を示すブロック図である。
【図３】電子メールのヘッダ情報及び本文情報の画像データへの変換例を示す図である。
【図４】ファクシミリの通信管理情報の画像データへの変換例を示す図である。
【図５】本発明に係る画像通信装置が行う処理手順を示すフローチャートである。
【図６】本発明に係る画像通信装置が行う処理手順を示すフローチャートである。
【図７】本発明に係る画像通信装置が行う処理手順を示すフローチャートである。
【図８】本発明に係る画像通信装置が行う処理手順を示すフローチャートである。
【符号の説明】
【００４９】
１，１Ａ，１Ｂ，１Ｃ  画像通信装置（ＩＮＦＡＸ）
２Ａ，２Ｂ  ローカルエリアネットワーク（ＬＡＮ）
３  ファイルサーバ
４Ａ，４Ｂ  パーソナルコンピュータ（ＰＣ）
５Ａ，５Ｂ  メールサーバ
６Ａ，６Ｂ  ルータ
７  Ｇ３ＦＡＸ
１０  制御部
１１  ＲＯＭ
１２  ＲＡＭ
１３  読取部
１４  コーデック
１５  画像メモリ
１６  記録部
１７  操作部
１８  表示部
１９  ＬＡＮインターフェイス（ＬＡＮＩＦ）
２０  モデム
２１  回線制御部（ＮＣＵ）
【図１】
2006203693.tif 000003
【図２】
2006203693.tif 000004
【図３】
2006203693.tif 000005
【図４】
2006203693.tif 000006
【図５】
2006203693.tif 000007
【図６】
2006203693.tif 000008
【図７】
2006203693.tif 000009
【図８】
2006203693.tif 000010